(57)【特許請求の範囲】
【請求項１】
回転軸の軸方向及び周方向の双方に沿って所定間隔をおいて多数のハンマーナイフを半径方向に取付けたハンマーナイフカッターが、上面にブーム取付用ブラケットを備えたケーシング内に回転可能に収容された草刈ユニットと、
前記ハンマーナイフカッターにより叩き切られて後方に放てきされた刈草の収容と、当該刈草の排出との双方を可能とすべく、前記ケーシングに対して筒状の刈草通路を介することなく横方向に直接に接続した状態で、前記ケーシングの後端部に開閉可能にヒンジ連結された刈草収容バケットとを備え、
バックホーの先端ブームのアタッチメント装着部に装着されて、草地の大型雑草、小木等の草木類を刈り取るための草刈アタッチメントであって、
前記ケーシング内に収容されたハンマーナイフカッターと前記刈草収容バケットの刈草収容空間とを部分的に分離させて、当該刈草収容バケット内に収容された刈草が草刈作業中に排出されるのを防止すべく、前記ケーシングの底面開口から前記草刈ユニットの回転軸の回転軸心の近傍まで立ち上がるセパレータが前記ケーシングに一体に設けられ、
前記セパレータの上端面と前記ケーシングの上板部との間の開口は、前記ハンマーナイフカッターにより刈り取られた刈草を前記刈草収容バケットに放てきする刈草放てき開口となっていることを特徴とするバックホー用草刈アタッチメント。
【請求項２】
回転軸の軸方向及び周方向の双方に沿って所定間隔をおいて多数のハンマーナイフを半径方向に取付けたハンマーナイフカッターが、上面にブーム取付用ブラケットを備えたケーシング内に回転可能に収容された草刈ユニットと、  前記ハンマーナイフカッターにより叩き切られて後方に放てきされた刈草の収容と、当該刈草の排出との双方を可能とすべく、前記ケーシングに対して筒状の刈草通路を介することなく横方向に直接に接続した状態で、前記ケーシングの後端部に開閉可能にヒンジ連結された刈草収容バケットとを備え、  バックホーの先端ブームのアタッチメント装着部に装着されて、草地の大型雑草、小木等の草木類を刈り取るための草刈アタッチメントであって、  草刈アタッチメントの移動方向、及びこれに直交する方向の双方に対する移動を円滑にすべく、前記ケーシングの底面開口における前記ハンマーナイフカッターの回転軸の両端部に対応する部分にそり板が、草刈アタッチメントの移動方向に沿ってそれぞれ取付けられていると共に、各そり板の幅方向の少なくとも一方には、横断面視において斜上方に傾斜した補助そり板がそれぞれ一体に設けられていることを特徴とするバックホー用草刈アタッチメント。
【請求項３】
前記刈草収容バケットは、略半円筒体部における草刈時で下方となる端部に平板部が草刈ユニットの側に延設された本体部と、当該本体部の両側開口を閉塞する一対の側板部とから成ることを特徴とする請求項１又は２に記載のバックホー用草刈アタッチメント。
【請求項４】
前記刈草収容バケットの本体部を構成する略半円筒体部の形状は、楕円筒体部を短軸部で二分した一方であることを特徴とする請求項３に記載のバックホー用草刈アタッチメント。
【発明の詳細な説明】
【技術分野】
【０００１】
本発明は、バックホーの先端ブームに装着して使用されて、河川堤防の法面等の草地に生えている大型雑草、小木等の草木類をハンマーナイフの高速回転により叩き切って細断すると共に、細断された刈草をそのまま回収して搬出可能にしたバックホー用草刈アタッチメントに関するものである。
【背景技術】
【０００２】
例えば、河川の堤防の法面に生えている大型雑草、小木等の草木類の刈取りは、ハンマーナイフを高速回転させて自走する専用の草刈機により行っているが、当該法面の傾斜が大きい場合には、草刈機の転倒の危険があるために、草刈機による急傾斜の法面の草刈作業は行えない。また、法面の傾斜自体は、草刈機が走行可能な範囲であっても、大きな立木、橋梁等の草刈機の走行の障害となる草刈障害物が存在している部分では、草刈機は、方向転換して作業を行わざるを得ないので、当該草刈障害物の近辺の草木類の刈取りは、手持ち式の草刈機又は手作業によらざるを得ず、法面の大型雑草、小木等の刈取りを、手持ち式の草刈機又は手作業で行うことは、過酷な作業であった。なお、専用の草刈機、及び手持ち式の草刈機による堤防法面の草刈作業では、いずれも刈草はそのまま放置されるために、刈草の回収作業が不可欠であり、法面における刈草の回収作業は、困難を伴うものであった。
【０００３】
上記の場合において、バックホーの先端ブームに草刈アタッチメントを装着して、堤防法面等の草地の草刈りを行うと、人手による場合に比較して、威力が発揮される。このような草刈アタッチメントとしては、特許文献１に開示のものが知られている。しかし、特許文献１に開示の草刈アタッチメントは、草刈刃がバリカン型であるために、小木であっても、その太さが一定以上であると切断が難しく、しかも作業能率も低かった。
【先行技術文献】
【特許文献】
【０００４】
【特許文献１】実開平６−４１４２１号公報
【発明の概要】
【発明が解決しようとする課題】
【０００５】
本発明は、バックホーの先端ブームに装着する草刈アタッチメントとして、強力な叩き切り作用を有するハンマーナイフの利用により、堤防法面等の草地に生えている草木類を高能率で刈取可能にすると共に、刈取直後の刈草を圧縮状態で収容可能にして、大量の刈草をそのまま収容して搬出可能にすることを課題としている。
【課題を解決するための手段】
【０００６】
上記課題を解決するための請求項１の発明は、回転軸の軸方向及び周方向の双方に沿って所定間隔をおいて多数のハンマーナイフを半径方向に取付けたハンマーナイフカッターが、上面にブーム取付用ブラケットを備えたケーシング内に回転可能に収容された草刈ユニットと、前記ハンマーナイフカッターにより叩き切られて後方に放てきされた刈草の収容と、当該刈草の排出との双方を可能とすべく、前記ケーシングに対して筒状の刈草通路を介することなく横方向に直接に接続した状態で、前記ケーシングの後端部に開閉可能にヒンジ連結された刈草収容バケットとを備え、バックホーの先端ブームのアタッチメント装着部に装着されて、草地の大型雑草、小木等の草木類を刈り取るための草刈アタッチメントであって、前記ケーシング内に収容されたハンマーナイフカッターと前記刈草収容バケットの刈草収容空間とを部分的に分離させて、当該刈草収容バケット内に収容された刈草が草刈作業中に排出されるのを防止すべく、前記ケーシングの底面開口から前記草刈ユニットの回転軸の回転軸心の近傍まで立ち上がるセパレータが前記ケーシングに一体に設けられ、前記セパレータの上端面と前記ケーシングの上板部との間の開口は、前記ハンマーナイフカッターにより刈り取られた刈草を前記刈草収容バケットに放てきする刈草放てき開口となっていることを特徴としている。
【０００７】
請求項１の発明によれば、バックホーの各ブームの操作により、当該バックホーの先端ブームに装着された草刈アタッチメントを目的の草地に沿って移動させると、油圧モータによりアッパーカット状態で高速回転されているハンマーナイフカッターの各ハンマーナイフにより、草木類は叩き切られて細断された後に、当該ハンマーナイフカッターの高速回転による遠心力により、刈草は、刈草放てき開口から、後方の刈草収容バケットに放てきされて収容される。刈草収容バケット内に収容された刈草は、その底部奥側の部分から順次圧縮状態で堆積されることにより、収容量が増大する。しかも、ケーシング内に収容されたハンマーナイフカッターと前記刈草収容バケットの刈草収容空間とを部分的に分離させるべく、前記ケーシングの底面開口から前記草刈ユニットの回転軸の回転軸心の近傍まで立ち上がるセパレータが、当該ケーシングに一体に設けられているために、刈草収容バケットに収容される刈草塊とハンマーナイフカッターとの分離が確保される。このように、刈草収容バケットに対して刈草は、その底部奥側の部分から順次圧縮されて堆積されるため、換言すると、刈草収容バケットに圧縮状態で収容された刈草塊と、ハンマーナイフカッターの背面側との間には、常に所定の隙間が確保されるため、当該刈草収容バケット内の刈草により、ハンマーナイフカッターの高速回転が阻害されることはなく、草地の草木類がハンマーナイフカッターにより小片状に破砕切断された後に、後方の刈草収容バケットにスムーズに収容される。このため、刈草の収容作業が不要となる。
【０００８】
また、バックホーの各ブームを操作することにより、先端ブームの先端に装着された草刈アタッチメントを目的の草地に配置して草刈作業を行えるので、自走式の大型の草刈機による作業ができない部分の草刈も自在に行える。
【０００９】
そして、刈草収容バケット内に刈草が最大に収容された状態で、草刈作業を継続すると、以後の刈草は、前記刈草収容バケットに収容不能となって、前記セパレータとハンマーナイフカッターとの間の隙間から、刈草が連続して排出されて、草地の刈取済面に残るので、刈草収容バケットに対する刈草の収容は限界に達したことが視覚的に分かる。その後に、ハンマーナイフカッターの回転を停止させて、バックホーの各ブームの操作により、先端ブームの先端に装着された草刈アタッチメントを排出位置まで移動させて、油圧シリンダにより刈草収容バケットを上方に回動させて開くと、当該バケット内に塊状となって収容されていた刈草塊は、そのまま落下排出される。
【００１０】
請求項２の発明は、回転軸の軸方向及び周方向の双方に沿って所定間隔をおいて多数のハンマーナイフを半径方向に取付けたハンマーナイフカッターが、上面にブーム取付用ブラケットを備えたケーシング内に回転可能に収容された草刈ユニットと、前記ハンマーナイフカッターにより叩き切られて後方に放てきされた刈草の収容と、当該刈草の排出との双方を可能とすべく、前記ケーシングに対して筒状の刈草通路を介することなく横方向に直接に接続した状態で、前記ケーシングの後端部に開閉可能にヒンジ連結された刈草収容バケットとを備え、バックホーの先端ブームのアタッチメント装着部に装着されて、草地の大型雑草、小木等の草木類を刈り取るための草刈アタッチメントであって、草刈アタッチメントの移動方向、及びこれに直交する方向の双方に対する移動を円滑にすべく、前記ケーシングの底面開口における前記ハンマーナイフカッターの回転軸の両端部に対応する部分にそり板が、草刈アタッチメントの移動方向に沿ってそれぞれ取付けられていると共に、各そり板の幅方向の少なくとも一方には、横断面視において斜上方に傾斜した補助そり板がそれぞれ一体に設けられていることを特徴としている。
【００１１】
請求項２の発明によれば、草刈アタッチメントが本来の移動方向、及びこれと直交する方向のいずれに沿って移動させる場合でも、当該両方向に対応するそり板がケーシングに設けられているので、両方向の移動が円滑となって、草刈アタッチメントに不必要な力を作用させない。
【００１２】
請求項３の発明は、請求項１又は２の発明において、前記刈草収容バケットは、略半円筒体部における草刈時で下方となる端部に平板部が草刈ユニットの側に延設された本体部と、当該本体部の両側開口を閉塞する一対の側板部とから成ることを特徴としている。
【００１３】
請求項３の発明によれば、本体部が略半円筒体部を有しているために、放てきされた刈草は、本体部の半円弧状の部分の内周面にスムーズに案内されて、底部から順次堆積されて収容されると共に、草刈状態において、刈草収容バケットの底部には、平板部が設けられるために、刈草の収容量が増大する。
【００１４】
請求項４の発明は、請求項３の発明において、前記刈草収容バケットの本体部を構成する略半円筒体部の形状は、楕円筒体部を短軸部で二分した一方であることを特徴としている。
【００１５】
請求項４の発明によれば、ハンマーナイフカッターから後方に放てきされた刈草を、刈草収容バケットの本体部の横断面形状である楕円弧面の内周に沿わせることにより、刈草をスムーズに収容できるのに加えて、刈草収容バケットの本体部は、長軸部が水平方向に配置された形状であるために、刈草収容バケットの収容量が増大する。
【発明の効果】
【００１６】
本発明によれば、バックホーの各ブームの操作により、先端ブームの先端に装着された草刈アタッチメントを目的の草地に配置して草刈作業を行えるので、自走式の大型の草刈機による作業ができない草地であっても、ハンマーナイフカッターの高速回転により草木類が叩き切られて細断された後に、そのまま後方の刈草収容バケットに放てきされて、セパレータにより草刈作業中の刈草が排出されるのを防止された状態で、圧縮状態で塊状となって収容されるために、刈草の回収作業が不要となる。また、刈草収容バケットに刈草が最大に収容された場合には、セパレータの直前の部分から刈草が連続してケーシング外に排出されて、草地の刈取済面に残るために、前記バケットの最大収容状態が視認できる。刈草収容バケット内の刈草の排出は、バックホーの各ブームの操作により、草刈アタッチメントを所定の排出場所まで移動させて、当該排出場所において、刈草収容バケットを上方に回動させて開くと、刈草塊は、自重によりその位置に落下されるため、刈草の排出作業も容易となる。
【図面の簡単な説明】
【００１７】
【図１】本発明に係る草刈アタッチメントＡを先端ブーム３６の先端に装着したバックホーＨの側面図である。
【図２】本発明に係る草刈アタッチメントＡを斜下方から見た斜視図である。
【図３】同じく斜上方から見た斜視図である。
【図４】同じく側面断面図である。
【図５】同じくハンマーナイフカッターＣの回転軸Ｒの部分の断面図である。
【図６】バックホーＨを堤防の法面よりも高い位置に配置させて、当該法面の草木類Ｇを刈り取っている状態の側面図である。
【図７】バックホーＨを法面よりも低い位置に配置させて、当該法面の草木類Ｇを刈り取っている状態の側面図である。
【図８】草刈アタッチメントＡの刈草収容バケットＢに収容された刈草Ｇ’を排出させている状態を示す側面図である。
【発明を実施するための形態】
【００１８】
以下、図１ないし図５を参照して、本発明の実施例である草刈アタッチメントＡについて説明する。図１は、本発明に係る草刈アタッチメントＡを先端ブーム３６の先端に装着したバックホーＨの側面図であり、図２は、本発明に係る草刈アタッチメントＡを斜下方から見た斜視図であり、図３は、同じく斜上方から見た斜視図であり、図４は、同じく側面断面図であり、図５は、同じくハンマーナイフカッターＣの回転軸Ｒの部分の断面図である。草刈アタッチメントＡは、バックホーＨの先端ブーム３６の先端のアタッチメント装着部４３に着脱可能に装着されて、ハンマーナイフカッターＣを備えた草刈ユニットＵと、当該草刈ユニットＵの後部に開閉可能に連結される刈草収容バケットＢとから成る。草刈ユニットＵは、図２ないし図５に示されるように、ケーシングＫを構成する左右一対の側板部１の間にハンマーナイフカッターＣが配設された構成である。当該ハンマーナイフカッターＣを構成する回転軸２は、前記各側板部１に軸受（図示せず）を介して回転可能に支持され  前記回転軸２に多数のハンマーナイフＮが周方向及び軸方向の双方に沿って所定の間隔をおいて一体に取付けられている。即ち、実施例では、回転軸２の軸方向に沿って所定間隔をおいて１列状に配置された計４列の各ハンマーナイフ列が周方向に等間隔をおき、しかも各ハンマーナイフ列においては、軸方向に僅かにずれてハンマーナイフＮが配置されることにより、回転軸２の１回転により軸方向の全幅に亘って草刈が可能になっている。ハンマーナイフＮは、回転軸２の半径方向に沿って固着されたナイフ取付板３の先端部に連結ピン４を介して正面視でＹ字形をしたＹ字形ナイフ５の基端部が連結された構成であって、回転軸２が高速回転している状態で、ナイフ取付板３に対してＹ字形ナイフ５が自在に回動することにより、草木類を衝撃力により叩き切って刈り取る構成である。なお、ハンマーナイフ列の数は、「４」に限定されるものではなくて、「３」又は「５」の型も存在する。
【００１９】
ケーシングＫは、上板部６の両側に一対の側板部１が一体に設けられることにより、前後の各面及び底面が開口されて、各側板部１は、刈取直前の草木類を倒してケーシングＫ内に入り込み易くするために、高さ方向の中央部の一つの頂点部となって最先端に配置された三角形状になっている。一対の側板部１は、後下端部が後補強ロッド７を介して連結されて、全体の剛性が高められている。図５に示されるように、一方の側板部１には、油圧モータ取付板部８が上方に向けて一体に延設されて、当該油圧モータ取付板部８の内面に油圧モータＭが、そのモータ軸９を前記回転軸２と平行にして一体に取付けられている。前記回転軸２の側板部１から突出した部分に取付けられた下溝プーリ１１と、前記油圧モータＭのモータ軸９に取付けられた上溝プーリ１２との間には、複数のベルト１３が掛装され、油圧モータＭの駆動力によりハンマーナイフカッターＣの回転軸２が高速（約３，０００ｒｐｍ）で駆動回転される。
【００２０】
また、ケーシングＫの各側板部１の外側面には、前後一対の各ブラケット１４及び取付ロッド１５を介して草地面を草刈アタッチメントＡの移動方向に沿ってスライド可能なそり板１６が取付けられている。ハンマーナイフカッターＣに対する左右一対のそり板１６の高さ方向の位置は、当該そり板１６が草地面に接して草刈アタッチメントＡが移動した状態で、草木類の刈高が最小となるように定めてある。各そり板１６は、長手方向の両端がそれぞれ斜上方にわん曲されていると共に、長手方向の両端部を除く部分には、幅方向に沿ってバックホーＨの側に向けて補助そり板１６ａが一体に設けられている。そり板１６は、草刈アタッチメントＡの本来の移動方向に沿った移動を円滑にすると共に、補助そり板１６ａは、バックホーＨの操作において、草刈アタッチメントＡを本来の移動方向と直交する幅方向に移動させて、当該バックホーＨの側に近付けることが多く、この場合の移動を円滑にさせて、前記そり板１６の損壊を防止するためである。なお、補助そり板１６ａは、そり板１６の幅方向の両側に設けることも可能である。また、図３及び図４に示されるように、ケーシングＫの上板部６の前端の部分は、ハンマーナイフカッターＣとの間でほぼ同一幅の刈草通路１７を形成すべく、下方にわん曲されており、更に当該わん曲板部６ａの先端には、先端が低くなるような傾斜板部６ｂが設けられて、当該傾斜板部６ｂの先端は、垂直に折り曲げられてチェーン吊下板部６ｃとなっていて、当該チェーン吊下板部６ｃに、草刈時にケーシングＫ内の石類が外部に飛散するのを防止する多数のチェーン１８が吊り下げられている。なお、図２及び図４において、１９は、ケーシングＫの左右一対の側板部１の前部を補強する前補強ロッドを示す。
【００２１】
また、図４に示されるように、ケーシングＫの各側板部１の後下端部を連結する後補強ロッド７には、ハンマーナイフカッターＣのハンマーナイフＮの回転軌跡円Ｔとの間に所定間隔（１０ｍｍ程度）をおいて、当該ハンマーナイフカッターＣの回転軸心Ｃ0 を中心とする円弧板状のセパレータＪが一体に取付けられている。セパレータＪは、当該バケットＢの刈草収容空間Ｖの略下半部とハンマーナイフカッターＣとを分離させて、前記刈草収容空間Ｖの略下半部に対する刈草Ｇ’の収容を確実とさせる部材である。セパレータＪの上端位置は、ハンマーナイフカッターＣの回転軸心Ｃ0 の位置を超えないことが必要であって、当該回転軸心Ｃ0 よりも僅かに低いことが望ましい。セパレータＪの上端面とケーシングＫの上板部６との間の開口は、ハンマーナイフカッターＣで刈り取られて、当該カッターＣにより連れ回り回転されている刈草Ｇ’を刈草収容空間Ｖに放てきするための放てき開口２０となっている。
【００２２】
また、図３及び図４に示されるように、ケーシングＫの上板部６の前後方向の中央部には、補強板部２７により補強されて、当該補強板部２７に、一対のブーム取付用ブラケット２８が草刈アタッチメントＡの前後方向に沿って所定間隔をおいてその幅方向に一体に取付けられている。なお、図２、図３及び図４において、１０は、上下の溝プーリ１１，１２と複数本のベルト１３とから成るベルト伝動装置を覆うカバーを示す。
【００２３】
また、図２ないし図４に示されるように、ケーシングＫの上板部６の後端部には、刈草収容バケットＢが開閉可能（回動可能）に連結されている。刈草収容バケットＢは、略半円筒体部における使用状態で下端となる部分が前方の草刈ユニットＵの側に平板状となって延設された本体部２１の両側に側板部２２が一体に設けられて、草刈ユニットＵと対向する前面のみが開口された形状であって、本体部２１の上端部が連結バー２３を介して草刈ユニットＵの上板部６の後端部に開閉可能（回動可能）に連結された構成である。草刈時には、図４に示されるように、刈草収容バケットＢの本体部２１の下側の平板部２１ａの先端は、草刈ユニットＵのケーシングＫの後下端部の後補強ロッド７の背面に当接すると共に、左右一対の側板部２２の前端部が、いずれもケーシングＫの各側板部１の内側に部分的に入り込む構成になっている。また、ケーシングＫの幅方向の中央部には、刈草収容バケットＢを開閉駆動するバケット開閉用油圧シリンダＳ0 が前後方向に配置されて、そのロッド２４の先端部は、刈草収容バケットＢの本体部２１の幅方向の中央部に設けられたブラケット２５に連結され、当該油圧シリンダＳ0 のロッド２５の出入りにより、刈草収容バケットＢは、ケーシングＫに対して連結バー２３を支点に回動することにより開閉する（図４及び図８参照）。
【００２４】
次に、図１及び図２を参照にして、バックホーＨの概略構成について説明する。左右一対のゴムクローラ３１の上部に旋回可能な運転台３２が設けられ、当該運転台３２の前部のブラケット３３に連結軸３４を介して「く」の字形に折れ曲がった基端ブーム３５が支承され、この基端ブーム３５は、基端部が前記ブラケット３３に連結された第１油圧シリンダＳ1 の作用によって前記連結軸３４を中心にして垂直面内で回動して、運転台３２に対して前後動を行う。先端ブーム３６は、基端ブーム３５の先端部に連結軸３７を介して連結されて、基端部が基端ブーム３５に連結された第２油圧シリンダＳ2 の作用により、基端ブーム３５に対して垂直面内で回動する。先端ブーム３６の先端部には、一対の第１アーム３８が連結されて、当該一対の第１アーム３８の先端部に一対の第２アーム３９が連結され、第１及び第２の各アーム３８，３９を連結する連結軸４１には、基端部が先端ブーム３６に連結された第３油圧シリンダＳ3 のロッド４２が連結されている。先端ブーム３６の先端のアタッチメント装着部４３と第２アーム３９の先端部とは、草刈アタッチメントＡのブーム取付用ブラケット２８に連結ピン４４，４５を介して連結されている。
【００２５】
なお、草刈アタッチメントＡの油圧モータＭ及びバケット開閉用油圧シリンダＳ0 は、いずれもバックホーＨに搭載の油圧ポンプから供給される圧油により駆動され、バックホーＨの先端ブーム３６に草刈アタッチメントＡを装着する際に、バックホーＨの側と草刈アタッチメントＡの側との各油圧ホースの連結を行う。
【００２６】
そして、図６に示されるように、堤防の法面５１よりも高い位置にバックホーＨを配置して、当該法面５１に生えている草木類Ｇを草刈アタッチメントＡにより刈り取るには、以下のようにして行う。即ち、バックホーＨの運転台３２に乗り込んだ運転者により、基端ブーム３５、先端ブーム３６及び第１アーム３８を操作して、草刈アタッチメントＡの幅方向（ハンマーナイフカッターＣの軸心方向）に沿った傾斜を前記法面５１の傾斜に合致させ、この状態で、バックホーＨを法面５１の等高線方向に移動させて、草刈アタッチメントＡを法面５１の等高線方向Ｐ（図６で紙面に垂直な方向）に移動させる。
【００２７】
これにより、図４に示されるように、法面５１の草木類ＧのうちケーシングＫよりも背丈の高い草木類Ｇは、当該ケーシングＫの先端部により前方に倒された後に、ケーシングＫ内に入り込んで、高速回転するハンマーナイフカッターＣの各ハンマーナイフＮの衝撃力により叩かれて切断されると共に、ハンマーナイフカッターＣの高速回転による遠心力により、切断された刈草Ｇ’は、ケーシングＫ内の刈草通路１７を通って、後方の刈草収容バケットＢの刈草収容空間Ｖに放てきされて収容される。刈草収容バケットＢ内においては、放てきされた刈草Ｇ’は、半円筒体状をした本体部２１の内周に沿って下方に落下して、刈草収容空間Ｖの底部から順次堆積される。刈草収容バケットＢの刈草収容空間ＶとハンマーナイフカッターＣとの間は、セパレータＪにより分離されているので、ハンマーナイフカッターＣの叩き切り作用を阻害することなく、刈草収容バケットＢの刈草収容空間Ｖに刈草Ｇ’が順次収容される。しかも、刈草Ｇ’は、高速度で刈草収容バケットＢの刈草収容空間Ｖに放てきされるために、圧縮状態で収容されるので、刈草Ｇ’の実質的な収容量が増大する。
【００２８】
そして、刈草収容バケットＢ内に刈草Ｇ’が一杯に収容されて収容不能となると、収容しきれない刈草Ｇ’は、セパレータＪとハンマーナイフカッターＣの回転軌跡円Ｔとの間の隙間２９を通って下方に連続してケーシングＫの外側に排出されて刈取済面に残るので、運転者は、上記の状態が視覚的に分かる。
【００２９】
また、図７は、法面５２よりも低い位置にバックホーＨを配置して、運転台３２を旋回させることにより、運転台３２を中心にして、草刈アタッチメントＡを当該法面５２に沿って円弧状に移動させながら、当該法面５２の草刈作業を行う例である。
【００３０】
そして、刈草収容バケットＢの刈草収容空間Ｖに刈草Ｇ’が一杯に収容されたことが目視で分かった時点で、ハンマーナイフカッターＣの回転を停止させる。その後に、各ブーム３５，３６及び第１アーム３８を操作して、図８に示されるように、刈草収容バケットＢを排出場所（例えば、トラック５３の荷台５４）の直上まで移動させて、バケット開閉用油圧シリンダＳ0 により刈草収容バケットＢを上方に回動させて、その開口を直下に向けると、当該刈草収容バケットＢの刈草収容空間Ｖ内にその立体形状に倣って圧縮状態で収容されていた刈草塊Ｇ”は、塊状を保持したまま直下に落下して排出される。このため、刈草Ｇ’の排出時に、当該刈草Ｇ’の飛散が無くなって、刈草Ｇ’の排出に係る取り扱いが容易となる。
【００３１】
このように、本発明の実施例の草刈アタッチメントＡによれば、草刈ユニットＵのハンマーナイフカッターＣにより、河川堤防等の法面に生えている草木類Ｇを叩き切って細断した後に、その刈草Ｇ’は、当該草刈ユニットＵの後方に連結された刈草収容バケットＢ内にそのまま収容され、しかも当該バケットＢ内で刈草Ｇ’が一杯になった場合には、各ブーム３５，３６及び第１アーム３８の操作により、草刈アタッチメントＡを排出場所の直上まで移動させて、刈草収容バケットＢ内の刈草塊Ｇ”を塊状のままで排出させられる。従って、草地の刈取済面に散在する刈草Ｇ’の回収作業が不要になるのに加えて、塊状のままで刈草Ｇ’を排出させられるので、排出時における刈草Ｇ’の取り扱いも容易である。
【００３２】
また、刈草収容バケットＢの刈草収容空間Ｖの容積を増大させるために、その本体部を、楕円筒体部の短軸部で二分した一方の半楕円筒体部における草刈時で下端となる部分に草刈ユニットの側に向けて平板部を延設させた形状にすると、前記刈草収容空間Ｖが「奥深い」形状となって、刈草の最大収容量が増す。
【００３３】
また、バックホーの先端ブームの先端部に装着される本発明に係る草刈アタッチメントは、河川堤防等の法面における自走式の草刈機が入り込めない部分での草刈に対して最も適しているが、一般の法面、及び平地状の草地における草刈も可能である。
【符号の説明】
【００３４】
Ａ：草刈アタッチメント
Ｂ：刈草収容バケット
Ｃ：ハンマーナイフカッター
Ｇ：草木類
Ｇ’：刈草
Ｇ”：刈草塊
Ｈ：バックホー
Ｊ：セパレータ
Ｋ：ケーシング
Ｍ：油圧モータ
Ｓ0 ：バケット開閉用油圧シリンダ
Ｖ：刈草収容空間
２：回転軸
１６：そり板
１６ａ：補助そり板
２０：放てき開口
２１：刈草収容バケットの本体部
２２：刈草収容バケットの側板部
２３：刈草収容バケットの連結バー
２８：ブーム取付用ブラケット
３６：バックホーの先端ブーム
４３：アタッチメント装着部
５１，５２：法面（草地）
【図１】
0005726548.tif 000002
【図２】
0005726548.tif 000003
【図３】
0005726548.tif 000004
【図４】
0005726548.tif 000005
【図５】
0005726548.tif 000006
【図６】
0005726548.tif 000007
【図７】
0005726548.tif 000008
【図８】
0005726548.tif 000009